(57)【特許請求の範囲】
【請求項１】
断面Ｌ字状の取付け具の水平片の端縁に開口させて平面視においてＬ字状となる係止溝を形成し、縦片を便器本体の外側部に位置させて水平片を便器本体の側部上面に載置し、水平片の係止溝の奥端にボルトのような固定具を位置させて取付け具を便器本体に取付け、取付け具に肘掛けを取付けて成ることを特徴とする便器。
【請求項２】
取付け具の内面に弾性パッキンを積層して成ることを特徴とする請求項１記載の便器。
【請求項３】
便器本体の側縁部を中空構造にするとともに複数の縦リブを形成して成ることを特徴とする請求項１記載の便器。
【請求項４】
便器本体の対向する両側縁部に取付け具を取付け、両取付け具を連結するとともに両取付け具間の間隔を調整する間隔調整棒を設けて成ることを特徴とする請求項１記載の便器。
【発明の詳細な説明】
【０００１】
【発明の属する技術分野】
本発明は、肘掛けを備えた便器に関し、詳しくは、便器本体に肘掛けを取付けながら、掃除等において邪魔にならないようにし、かつ、使いやすさを高めようとする技術に係るものである。
【０００２】
【従来の技術】
従来、肘掛けを備えた便器においては、図３４に示すように、肘掛け３ａの下部延出部３ｂがトイレ床に当接して肘掛け３ａにかかる荷重を支持するものである。
【０００３】
【発明が解決しようとする課題】
ところで、このような構成においては、肘掛け３ａの下部延出部３ｂがトイレ床に当接して肘掛け３ａにかかる荷重を充分に支持することができるが、下部延出部３ｂがトイレ床にまで延出されるとともに便器本体の前方下面にまで延出されているから、車椅子を使用する場合に邪魔になるとともに、トイレ床や便器の掃除に邪魔になるなどという問題があった。
【０００４】
そこで、便器本体に肘掛け３ａを取付けることが考えられるが、肘掛け３ａにかかる荷重を充分支持する構成が複雑となるものである。
【０００５】
本発明はこのような問題を解消しようとするものであり、便器本体に肘掛けを取付けながら、その構成を簡素化し、肘掛け荷重を充分に便器本体を利用して支持して肘掛けがトイレ床にまで延出されるのを回避し、掃除等において邪魔にならないようにし、かつ、使いやすさを高めることができる便器を提供することを課題とするものである。
【０００６】
【課題を解決するための手段】
請求項１においては、断面Ｌ字状の取付け具１の水平片７の端縁に開口させて平面視においてＬ字状となる係止溝８を形成し、縦片１６を便器本体２の外側部に位置させて水平片７を便器本体２の側部上面に載置し、水平片７の係止溝８の奥端にボルトのような固定具９を位置させて取付け具１を便器本体２に取付け、取付け具１に肘掛け３を取付けていることを特徴とするものである。このような構成によれば、取付け具１の水平片７が便器本体２の上面に載っていて肘掛け３にかかる荷重を水平片７を介して便器本体２にて充分に支持することができ、従来のように肘掛けをトイレ床にまで延出させなくてもよく、便器本体２を利用して簡単な構成で肘掛け３を取付けることができ、車椅子の使用やトイレ床及び便器本体２の掃除に邪魔にならないものである。
更に、取付け具１の水平片７の端縁に開口させて平面視においてＬ字状となる係止溝８を形成し、係止溝８の奥端にボルトのような固定具９を位置させて取付け具１を便器本体２に取付けてあるから、ボルトのような固定具９で取付け具１を便器本体２に取付けながら、Ｌ字状の係止溝８によって抜け止めを図ることができ、取付け具１の便器本体２への取付けを容易におこなえながら確実な取付けをおこなえるものである。
【０００７】
請求項２においては、取付け具１の内面に弾性パッキン４を積層していることを特徴とするものである。このような構成によれば、弾性パッキン４によって例えば陶器製の便器本体２の表面の凹凸を吸収して肘掛け３にかかる荷重を便器本体２に安定的にかけることができるものである。
【０００８】
請求項３においては、便器本体２の側縁部を中空構造にするとともに複数の縦リブ５を形成してあることを特徴とするものである。このような構成によれば、例えば陶器製の便器本体２の強度を高めることができて肘掛け３への荷重を便器本体２にて充分に支持することができるものである。
【０００９】
請求項４においては、便器本体２の対向する両側縁部に取付け具１，１を取付け、両取付け具１，１間に両取付け具１，１を連結するとともに間隔を調整する間隔調整棒６を設けてあることを特徴とするものである。このような構成によれば、両取付け具１，１を間隔調整棒６にて連結することで、取付け具１の便器本体２への取付け強度を高めるとともに、両取付け具１，１間の間隔を設定通りにでき、両取付け具１，１の位置を所定通リの位置に設置しやすくなるものである。
【００２０】
【発明の実施の形態】
以下、本発明の実施の形態を図面に基づいて説明する。
【００２１】
図１は実施の形態を示し、図１（ａ）は全体概略斜視図、同図（ｂ）は部分側面図である。便器本体２は陶器製であり、固定部１７においてボルトなどにてトイレ床に固定されるものであり、便器本体２の後部にはロータンク１８が載設されている。取付け具１は金属製であり、断面Ｌ字状に形成されている。
【００２２】
図３（ａ）は部分平面図、同図（ｂ）（ｃ）は断面図であり、取付け具１の水平片７を便器本体２の側部上面に載置するとともに縦片１６を便器本体２の外側部に位置させてボルト１９、ナット２０及びワッシャ２１によって取付け具１を便器本体２の側縁部に取付けている。取付け具１に肘掛け３を取付けている。
【００２３】
しかして、取付け具１の水平片７が便器本体２の上面に載っていて肘掛け３にかかる荷重を水平片７を介して便器本体２にて充分に支持することができ、従来のように肘掛けをトイレ床にまで延出させなくてもよく、便器本体２を利用して簡単な構成で肘掛け３を取付けることができ、車椅子の使用やトイレ床及び便器本体２の掃除に邪魔にならないものである。この場合、図３（ｂ）に示すように、便器本体２の後側のワッシャ２１は大径となっていて、肘掛け３にかかる荷重を分散できるようにしている。つまり、便器本体２の前側は肘掛け３にかかる荷重によって上から押すことになるので、便器本体２の側端部を袋構造にすることで、補強するものである。便器本体２の後部は、逆に、引き上げる方向に荷重がかかるので、上述のように、ワッシャ２１を大径にしたり、図３（ｄ）に示すように、袋状にして縦リブ５を形成するものである。
【００２４】
この場合、取付け具１の内面に弾性パッキン４を積層していて、弾性パッキン４によって例えば陶器製の便器本体２の表面の凹凸を吸収して肘掛け３にかかる荷重を便器本体２に安定的にかけることができるようにしている。又、図3（ｄ）に示すように、便器本体２の後ろ側縁部を中空構造にするとともに複数の縦リブ５を形成して、陶器製の便器本体２の側端部の強度を高めることができて肘掛け３への荷重を便器本体２にて充分に支持することができるものである。そして、図３（ｅ）に示すように、便器本体２の前方の側縁部を中空構造の袋状に形成して、強度を高めている。
【００２５】
図4は概略斜視図であり、但し、共通する部分には同一の符号を付して説明は省略する。
【００２６】
便器本体２の対向する両側縁部に取付け具１，１を取付け、両取付け具１，１の内縁部に垂下片２２，２２を便器本体２の内方に垂下し、垂下片２２にねじ孔２３を形成し、両端部に逆ねじを切った間隔調整棒６を垂下片２２のねじ孔２３にねじ込むことで、両取付け具１，１を連結するとともに間隔を調整して陶器の成形精度が低い点を補い、両肘掛け３，３の間隔を適正にでき、かつ、高さを揃えるようにしている。
【００２７】
しかして、両取付け具１，１を間隔調整棒６にて連結することで、取付け具１の便器本体２への取付け強度を高めるとともに、両取付け具１，１間の間隔を設定通りにでき、両取付け具１，１の位置を所定通リの位置に設置しやすくなるものである。この場合、取付け具１の取付けは後側だけでもよい。
【００２８】
図６は詳細図を示し、同図（ａ）（ｂ）は斜視図、同図（ｃ）は断面図であり、但し、共通する部分には同一の符号を付して説明は省略する。
【００２９】
本実施の形態においては、取付け具１の水平片７の端縁に開口させて平面視においてＬ字状となる係止溝８を形成し、係止溝８の奥端にボルトのような固定具９を位置させて取付け具１を便器本体２に取付けたものである。
【００３０】
しかして、ボルトのような固定具９で取付け具１を便器本体２に取付けながら、Ｌ字状の係止溝８によって抜け止めを図ることができるのであり、取付け具１の便器本体２への取付けを容易におこなえながら確実な取付けをおこなえるものである。
【００３１】
図７は他例を示し、同図（ａ）は斜視図、同図（ｂ）は側面図であり、但し、本実施の形態の基本構成は上記実施の形態と共通であり、共通する部分には同一の符号を付して説明は省略する。
【００３２】
本実施の形態においては、取付け具１に肘掛け３を水平軸１０の廻りに回転自在に取付け、取付け具１に肘掛け３の所定位置を決めるストッパー１１を水平軸１０の前方に設けているものである。
【００３３】
しかして、肘掛け３を水平軸１０の廻りに回転させて非使用姿勢に退避させることができながら、肘掛け３にかかる荷重をストッパー１１にて受けることができ、水平軸１０に荷重がかかるのを軽減でき、長期にわたって安定的に使用できるものである。
【００３４】
この場合、図８に示すように、取付け具１に肘掛け３の使用位置を決めるストッパー１１を水平軸１０の後方に設けるとともに、肘掛け３の退避位置を決めるストッパー２４を水平軸１０の後方上部に設けているものである。
【００３５】
図９は他例を示し、同図（ａ）（ｂ）は概略斜視図であり、但し、本実施の形態の基本構成は上記実施の形態と共通であり、共通する部分には同一の符号を付して説明は省略する。
【００３６】
本実施の形態においては、肘掛け３を水平軸１０の廻りに回転自在に取付け、水平軸１０の前方で取付け具１の縦片１６にストッパー１１を形成したものである。
【００３７】
図１０は他例を示す側面図であり、但し、本実施の形態の基本構成は上記実施の形態と共通であり、共通する部分には同一の符号を付して説明は省略する。
【００３８】
本実施の形態においては、肘掛け３の使用位置を決めるストッパー１１を便器本体２の後方下部で水平軸１０の下方に形成したものであり、肘掛け３にかかる荷重を便器本体２の後方下部から一連に延出したストッパー１１で受けることで、充分に荷重を支持することができながら、ストッパー１１が目立つことがなく、外観を高めるものである。
【００３９】
図１１は他例を示す概略斜視図であり、但し、本実施の形態の基本構成は上記実施の形態と共通であり、共通する部分には同一の符号を付して説明は省略する。
【００４０】
本実施の形態においては、肘掛け３を略逆Ｕ字状に形成し、肘掛け３の一端部を取付け具１に水平軸１０の廻りに回転自在に取付け、肘掛け３の他端部を肘掛け３の使用姿勢において支持する受片１２を便器本体２から突出しているものである。
【００４１】
しかして、肘掛け３を水平軸１０の廻りに回転させて非使用姿勢に退避させることができながら、使用姿勢における肘掛け３を便器本体２から突出させた受片１２にて受けることができ、肘掛け３の回転止めと使用姿勢の確定がおこなえるものである。
【００４２】
図１２は他例を示す概略斜視図であり、但し、本実施の形態の基本構成は上記実施の形態と共通であり、共通する部分には同一の符号を付して説明は省略する。
【００４３】
本実施の形態においては、肘掛け３を略三角形の環状に形成し、取付け具１に肘掛け３を水平軸１０の廻りに回転自在に取付け、肘掛け３の使用姿勢において肘掛け３の下端を床面に当接しているものである。
【００４４】
しかして、本実施の形態においては、肘掛け１を水平軸１０の廻りに回転させて非使用姿勢に退避させることができながら、使用姿勢における肘掛け３をトイレ床に当接させることによって、肘掛け３への荷重を充分に支持することができるものである。
【００４５】
図１３は他例を示す斜視図であり、但し、本実施の形態の基本構成は上記実施の形態と共通であり、共通する部分には同一の符号を付して説明は省略する。
【００４６】
本実施の形態においては、肘掛け３を水平軸１０の廻りに回転自在に支持して肘掛け３を非使用姿勢に退避することがきるようにしながら、肘掛け３からステー２５を延出し、トイレ壁２６に受具２７を設けてステー２５を支持して肘掛け３の使用姿勢を確定するようにしたものである。
【００４７】
図１４は他例を示す斜視図であり、肘掛け１を水平軸１０の廻りに回転自在に支持するとともに便座２８に押し上げ片２９を延出して、便座２８の持ち上げ回動によって押し上げ片２９にて肘掛け３を持ち上げ回動させて退避姿勢にするものである。
【００４８】
図１５は他例を示し、同図（ａ）（ｂ）は側面図であり、但し、本実施の形態の基本構成は上記実施の形態と共通であり、共通する部分には同一の符号を付して説明は省略する。
【００４９】
本実施の形態においては、取付け具１に肘掛け３を水平軸１０の廻りに回転自在に取付け、肘掛け３の使用姿勢の回転位置を調整する回転位置調整手段１３を備えているものである。具体的には、取付け具１から延出した片３０にねじ孔を形成し、ねじ孔にビス３１を螺進自在にねじ込み、ビス３１の先端に設けたストッパー１１を昇降させることで、肘掛け３の回転位置を設定して肘掛け３の回転位置を調整するものである。つまり、左右の肘掛け３，３の高さが異なる場合に調整をして揃えることができるものである。
【００５０】
この場合、同図（ｃ）（ｄ）に示すように、肘掛け３の下方でビス３１を下面側からの操作で螺進するようにしてストッパー１１を配設してもよく、又、図１６（ａ）（ｂ）に示すように、ビス３１自体をストッパー１１にしてもよいものである。
【００５１】
図１７は他例を示す斜視図であり、但し、本実施の形態の基本構成は上記実施の形態と共通であり、共通する部分には同一の符号を付して説明は省略する。
【００５２】
本実施の形態においては、肘掛け３の裏面に把手３２を設けて肘掛け３の姿勢変更を容易におこなえるようにしたものである。
【００５３】
図１８は他例の斜視図を示し、水平軸１０に対して肘掛け３とは反対側部分に把手３２を形成して、便器を使用している姿勢において把手３２を持って肘掛け３を姿勢変更しやすくしたものである。この場合、カウンターウエイト３３を付設することで、肘掛け３は回動途中においても手を離せば静止するのであり、使いやすいものである。
【００５４】
図１９は他例の斜視図であり、但し、本実施の形態の基本構成は上記実施の形態と共通であり、共通する部分には同一の符号を付して説明は省略する。
【００５５】
本実施の形態においては、水平軸１０の廻りに回転自在に支持された肘掛け３の回転に対して抵抗を与えるダンパー機構のような回転抵抗手段を設けて、肘掛け３が回転終端において衝撃が生じないように緩速度で静かに所定位置に至るようにしたものである。
【００５６】
図２０は他例の斜視図であり、但し、本実施の形態の基本構成は上記実施の形態と共通であり、共通する部分には同一の符号を付して説明は省略する。
【００５７】
本実施の形態においては、水平軸１０とはやや離れた箇所におけるピン３４と足踏みペタル３５とにわたってリンク３６を枢支連結し、足踏みペタル３５を踏むことで、非使用姿勢の肘掛け３を使用姿勢に回動するようにしたものである。
【００５８】
図２１は他例を示す側面図であり、但し、本実施の形態の基本構成は上記実施の形態と共通であり、共通する部分には同一の符号を付して説明は省略する。
【００５９】
本実施の形態においては、肘掛け３を電動モータにて駆動回転できるようにして便座２８に座った場合の圧力によってスイッチ５８を投入し、退避位置の肘掛け３を使用位置に電動駆動させるようにしたものである。肘掛け３の退避位置はイ位置又はロ位置のいずれでもよいものである。
【００６０】
ところで、肘掛け３及び便座２８はリモコンにて遠隔操作できるようにしてもよく、図２２は概略説明図を示し、同図（ａ）は肘掛け３及び便座２８が使用姿勢に操作された状態、同図（ｂ）は肘掛け３及び便座２８が非使用姿勢に操作された状態、同図（ｃ）は肘掛け３が使用姿勢に、便座２８が非使用姿勢に操作された状態を示している。同図（ａ）〜（ｃ）を絵文字としてスイッチパネルに描いておくとよい。
【００６１】
図２３は他例を示し、同図（ａ）は斜視図、同図（ｂ）は破断側面図であり、但し、本実施の形態の基本構成は上記実施の形態と共通であり、共通する部分には同一の符号を付して説明は省略する。
【００６２】
本実施の形態においては、固定されて先端が周方向に分割されれているねじ筒３８に棒体３９を移動自在に挿通し、棒体３９をねじ筒３８から好みの長さに突出させて固定リング４０をねじ筒３９にねじ込むことで、肘掛け３の長さを変更するようにしたものである。このように肘掛け３の長さを変更する構成を長さ変更手段１４と総称する。図２４は他例を示し、アームレスト部分４１を支持体４２に対してスライド移動自在にするとともに、係止凸部４３，４３間にビス４４を進入させてアームレスト部分４１の位置決めをおこなうようにしたものである。そして、長さ変更手段１４の構成は種々設計変更可能である。
【００６３】
しかして、肘掛け３の長さを変更することができて、使用者の体格に合わせることができ、最も短くすることで、邪魔にならないようにでき、使いやすさを増すことができるものである。
【００６４】
図２５は他例を示す側面図であり、但し、本実施の形態の基本構成は上記実施の形態と共通であり、共通する部分には同一の符号を付して説明は省略する。
【００６５】
本実施の形態においては、略逆Ｕ字状に曲げた保持体４５の孔４６に肘掛け３側のピン４７を嵌合させて肘掛け３の高さを変更可能にしたものである。このように、肘掛け３の高さを調整する構成を高さ調整手段１５と総称し、その構成は種々設計変更可能である。
【００６６】
しかして、肘掛け３の高さを変更することができて、使用者の体格に合わせることができ、使いやすさを増すことができるものである。
【００６７】
この場合、図２６に示すように、回動ピン４８とストッパーピン４９を好みの高さの孔４６に挿合することで、肘掛け３を回動ピン４８の廻りに回動させて退避可能にするとともにストッパーピン４９に肘掛け３を当接することで、肘掛け３の使用位置を決めるようにしてもよいものである。
【００６８】
図２７乃至図３３は他例を示し、但し、本実施の形態の基本構成は上記実施の形態と共通であり、共通する部分には同一の符号を付して説明は省略する。
【００６９】
図２８の参考図に示すように、取付け具１の縦片１６に例えば、鉛直方向に向いている取付け中心線Ｓに対して非対称に位置決め孔５２ａ，５２ｂ，５２ｃを形成し、例えば、４個のねじ孔の取付け孔５８ａ〜５８ｄを上記取付け中心線Ｓに対して対称に形成してある。縦片１６に取付けられるフランジ５０には３個の位置決めピン５１ａ，５１ｂ，５１ｃを位置決め孔５２ａ，５２ｂ，５２ｃと同位置に設けて、取付け中心線Ｓに対して非対称にしている。又、フランジ５０には、４個の通孔５９ａ〜５９ｄを取付け孔５８ａ〜５８ｄと同位置に形成している。
【００７０】
しかして、フランジ５０側の位置決めピン５１ａ，５１ｂ，５１ｃを便器本体２に取付けられている取付け具１の縦片１６の位置決め孔５２ａ，５２ｂ，５２ｃに嵌合する場合に、位置決めピン５１ａ，５１ｂ，５１ｃ及び位置決め孔５２ａ，５２ｂ，５２ｃは非対称となっていて、肘掛け３の取付け方向が容易に判り、取付け方向を誤りなく取付けることができるものである。
【００７１】
このように、位置決めピン５１ａ，５１ｂ，５１ｃを位置決め孔５２ａ，５２ｂ，５２ｃに挿入した仮止めの後、通孔５９ａ〜５９ｄに挿通したボルト６０をねじ孔の取付け孔５８ａ〜５８ｄにねじ込むことで、本固定をおこなうのであり、このような本固定においては、肘掛け３に掛かる荷重をボルト６０…及び位置決めピン５１ａ，５１ｂ，５１ｃにて分散して受けるのであり、充分に肘掛け荷重を受けることができるものである。
【００７２】
図３１に示すように、フランジ５０に肘掛け３を回動自在に支持する水平軸１０を設けている。図３０に示すように、肘掛け３のアーム６１の先端部の回動筒部５３を水平軸１０に回動自在に係合し、ボルト６２を水平軸１０のねじ孔にねじ込むことで、回動筒部５３の抜け止めを図っている。
【００７３】
図３２に示すように、回動筒部５３の裏面には突起５４を円弧状に形成し、フランジ５０には図３１に示すように円弧孔５５を形成している。しかして、フランジ５０の円弧孔５５の両端部に突起５４が当接することで、肘掛け３の回動範囲を決めることができるのであり、肘掛け３の回動範囲を決める構成を簡素化することができるものである。肘掛け３を前方上方に起立回動させる非使用状態においては、突起５４が円弧孔５５の他端部に当接して肘掛け３の非使用状態を保持するのである。
【００７４】
図２７（ｂ）に示すように、便器本体２の後部に取付けられる洗浄便座の制御部を覆う上部ケース５６の下縁部の内面に縦片１６の上部外面部を収納する盗み部５７を形成していて、便器本体２に取付け具１を取付けながら、上部ケース５６の取付けを支障なくおこなうことができるのである。
【００７５】
【発明の効果】
請求項１においては、断面Ｌ字状の取付け具の水平片の端縁に開口させて平面視においてＬ字状となる係止溝を形成し、縦片を便器本体の外側部に位置させて水平片を便器本体の側部上面に載置し、水平片の係止溝の奥端にボルトのような固定具を位置させて取付け具を便器本体に取付け、取付け具に肘掛けを取付けているから、取付け具の水平片が便器本体の上面に載っていて肘掛けにかかる荷重を水平片を介して便器本体にて充分に支持することができ、従来のように肘掛けをトイレ床にまで延出させなくてもよく、便器本体を利用して簡単な構成で肘掛けを取付けることができ、車椅子の使用やトイレ床及び便器本体の掃除に邪魔にならないようにできるという利点がある。
更に、取付け具の上水平片の端縁に開口させて平面視においてＬ字状となる係止溝を形成し、係止溝の奥端にボルトのような固定具を位置させて取付け具を便器本体に取付けてあるから、ボルトのような固定具で取付け具を便器本体に取付けながら、Ｌ字状の係止溝によって抜け止めを図ることができ、取付け具の便器本体への取付けを容易におこなえながら確実な取付けをおこなえるという利点がある。
【００７６】
請求項２においては、取付け具の内面に弾性パッキンを積層しているから、請求項１の効果に加えて、弾性パッキンによって例えば陶器製の便器本体の表面の凹凸を吸収して肘掛けにかかる荷重を便器本体に安定的にかけることができるという利点がある。
【００７７】
請求項３においては、便器本体の側縁部を中空構造にするとともに複数の縦リブを形成してあるから、請求項１の効果に加えて、例えば陶器製の便器本体の強度を高めることができて肘掛けへの荷重を便器本体にて充分に支持することができるという利点がある。
【００７８】
請求項４においては、便器本体の対向する両側縁部に取付け具を取付け、両取付け具間に両取付け具を連結するとともに間隔を調整する間隔調整棒を設けてあるから、請求項１の効果に加えて、両取付け具を間隔調整棒にて連結することで、取付け具の便器本体への取付け強度を高めるとともに、両取付け具間の間隔を設定通りにでき、両取付け具の位置を所定通リの位置に設置しやすくなるという利点がある。
【図面の簡単な説明】
【図１】本発明の実施の形態を示し、（ａ）は概略斜視図、（ｂ）は部分正面図である。
【図２】取付け具の参考例の斜視図である。
【図３】（ａ）は同上の部分平面図、（ｂ）（ｃ）は断面図、（ｄ）（ｅ）は他例の断面図である。
【図４】概略斜視図である。
【図５】（ａ）は同上の斜視図、（ｂ）は断面図である。
【図６】同上の実施の形態の詳細を示し、（ａ）は分解斜視図、（ｂ）は斜視図、（ｃ）は断面図である。
【図７】同上の他例を示し、（ａ）は斜視図、（ｂ）は部分側面図である。
【図８】（ａ）は同上の斜視図、（ｂ）は部分側面図である。
【図９】同上の他例を示し、（ａ）は概略斜視図、（ｂ）は取付け具の概略斜視図である。
【図１０】同上の他例の側面図である。
【図１１】同上の他例の概略斜視図である。
【図１２】同上の他例の概略斜視図である。
【図１３】同上の他例の部分斜視図である。
【図１４】同上の他例の斜視図である。
【図１５】同上の他例を示し、（ａ）（ｂ）は側面図、（ｃ）（ｄ）は更に他例の側面図である。
【図１６】同上の更に他例を示し、（ａ）は部分側面図、（ｂ）は部分正面図である。
【図１７】同上の他例の斜視図である。
【図１８】同上の他例の斜視図である。
【図１９】同上の他例を示し、（ａ）（ｂ）は動作を示す斜視図である。
【図２０】同上の他例の斜視図である。
【図２１】同上の他例の側面図である。
【図２２】同上の他例を示し、（ａ）（ｂ）（ｃ）は動作を示す概略説明図である。
【図２３】同上の他例を示し、（ａ）は斜視図、（ｂ）は一部断面した側面図である。
【図２４】同上の他例を示す斜視図である。
【図２５】同上の他例の側面図である。
【図２６】同上の他例の側面図である。
【図２７】同上の他例を示し、（ａ）は全体斜視図、（ｂ）は部分断面図である。
【図２８】取付け具の参考図を示し、（ａ）は平面図、（ｂ）は正面図、（ｃ）は側面図である。
【図２９】（ａ）は同上の他例の肘掛けの正面図、（ｂ）は平面図、（ｃ）は側面図である。
【図３０】同上の肘掛けを示し、（ａ）は一部破断した平面図、（ｂ）は拡大断面図である。
【図３１】同上のフランジを示し、（ａ）は側面図、（ｂ）は正面図である。
【図３２】同上の肘掛け側の回動筒部を示し、（ａ）は正面図、（ｂ）は一部破断した側面図、（ｃ）は背面図である。
【図３３】同上の円弧孔と突起との関係を示すフランジの背面図である。
【図３４】従来例の斜視図である。
【符号の説明】
１    取付け具
２    便器本体
３    肘掛け
７ 水平片
８ 係止溝
９ 固定具
１６ 縦片
【図１】
0003613056.tif 000002
【図２】
0003613056.tif 000003
【図３】
0003613056.tif 000004
【図４】
0003613056.tif 000005
【図５】
0003613056.tif 000006
【図６】
0003613056.tif 000007
【図７】
0003613056.tif 000008
【図８】
0003613056.tif 000009
【図９】
0003613056.tif 000010
【図１０】
0003613056.tif 000011
【図１１】
0003613056.tif 000012
【図１２】
0003613056.tif 000013
【図１３】
0003613056.tif 000014
【図１４】
0003613056.tif 000015
【図１５】
0003613056.tif 000016
【図１６】
0003613056.tif 000017
【図１７】
0003613056.tif 000018
【図１８】
0003613056.tif 000019
【図１９】
0003613056.tif 000020
【図２０】
0003613056.tif 000021
【図２１】
0003613056.tif 000022
【図２２】
0003613056.tif 000023
【図２３】
0003613056.tif 000024
【図２４】
0003613056.tif 000025
【図２５】
0003613056.tif 000026
【図２６】
0003613056.tif 000027
【図２７】
0003613056.tif 000028
【図２８】
0003613056.tif 000029
【図２９】
0003613056.tif 000030
【図３０】
0003613056.tif 000031
【図３１】
0003613056.tif 000032
【図３２】
0003613056.tif 000033
【図３３】
0003613056.tif 000034
【図３４】
0003613056.tif 000035